(57)【要約】【課題】  用件に関連する情報を一緒に通知することによりユーザの利便性を向上させる。【解決手段】  複数のアイコンのそれぞれに対して関連する情報が記憶された複数のアイコンから所望のアイコンをユーザに選択させ、ユーザが選択したアイコンに関連する情報と用件に関する情報とに基づいて用件データを登録し、登録された用件データをその用件の通知日時に表示手段に表示してユーザに通知する。【選択図】      図１５
2005080094.tif 000002
【特許請求の範囲】
【請求項１】
ユーザがスケジュール機能により登録した用件を該用件の通知日時に通知する通知機能を有する通信装置であって、
複数のアイコンのそれぞれに対して関連する情報を記憶する記憶手段と、
ユーザがスケジュール機能により用件を登録する際に、記憶された複数のアイコンから所望のアイコンを前記ユーザに選択させ、前記ユーザが選択したアイコンに関連する情報と前記用件に関する情報とに基づいて用件データを登録する登録手段と、
前記登録された用件データを前記用件の通知日時に通知する通知手段とを有することを特徴とする通信装置。
【請求項２】
前記アイコンに関連する情報は、電話番号とその名称、或いはネットワークアドレスとその名称の情報であることを特徴とする請求項１に記載の通信装置。
【請求項３】
前記通知手段は、前記用件データを電子メール送信手段により送信して通知することを特徴とする請求項２に記載の通信装置。
【請求項４】
前記通知手段は、前記用件データを表示手段に表示してユーザに通知することを特徴とする請求項２に記載の通信装置。
【請求項５】
ユーザがスケジュール機能により登録した用件を該用件の通知日時に通知する通知機能を有する通信装置の用件通知方法であって、
複数のアイコンのそれぞれに対して関連する情報を記憶する工程と、
ユーザがスケジュール機能により用件を登録する際に、記憶された複数のアイコンから所望のアイコンを前記ユーザに選択させ、前記ユーザが選択したアイコンに関連する情報と前記用件に関する情報とに基づいて用件データを登録する工程と、
前記登録された用件データを前記用件の通知日時に通知する工程とを有することを特徴とする通信装置の用件通知方法。
【請求項６】
コンピュータを請求項１乃至請求項４の何れか一項に記載の通信装置として機能させるためのプログラム。
【請求項７】
請求項６に記載のプログラムを記録したコンピュータ読み取り可能な記録媒体。
【発明の詳細な説明】
【技術分野】
【０００１】
本発明は、ユーザがスケジュール機能により登録した用件を該用件の通知日時に通知する通知機能を有する通信装置及びその用件通知方法に関する。
【背景技術】
【０００２】
従来、スケジューラ機能には、登録した通知日時に用件情報を通知するものがあった（例えば、特許文献１参照。）。
【特許文献１】特開２００１−３５０８８４号公報
【発明の開示】
【発明が解決しようとする課題】
【０００３】
しかしながら、用件によっては、その用件に関連して電話の発信が必要な場合や用件に関連したＷｅｂサイトの閲覧が必要な場合もある。例えば、車で出かけるような時には、Ｗｅｂサイトで渋滞情報や天気予報を閲覧したい場合がある。また、チケットの予約開始などの用件においては予約センターの電話番号も通知してほしいことがある。
【０００４】
しかしながら、従来の通知機能では、上記のような通知をするためには用件の登録毎に用件内容にＵＲＬや電話番号を入力する必要があった。
【課題を解決するための手段】
【０００５】
本発明は、ユーザがスケジュール機能により登録した用件を該用件の通知日時に通知する通知機能を有する通信装置であって、複数のアイコンのそれぞれに対して関連する情報を記憶する記憶手段と、ユーザがスケジュール機能により用件を登録する際に、記憶された複数のアイコンから所望のアイコンを前記ユーザに選択させ、前記ユーザが選択したアイコンに関連する情報と前記用件に関する情報とに基づいて用件データを登録する登録手段と、前記登録された用件データを前記用件の通知日時に通知する通知手段とを有することを特徴とする。
【０００６】
また、本発明は、ユーザがスケジュール機能により登録した用件を該用件の通知日時に通知する通知機能を有する通信装置の用件通知方法であって、複数のアイコンのそれぞれに対して関連する情報を記憶する工程と、ユーザがスケジュール機能により用件を登録する際に、記憶された複数のアイコンから所望のアイコンを前記ユーザに選択させ、前記ユーザが選択したアイコンに関連する情報と前記用件に関する情報とに基づいて用件データを登録する工程と、前記登録された用件データを前記用件の通知日時に通知する工程とを有することを特徴とする。
【発明の効果】
【０００７】
本発明の効果として、用件に関連する情報を一緒に通知することによりユーザの利便性を向上させることができる。
【発明を実施するための最良の形態】
【０００８】
以下、図面を参照しながら発明を実施するための最良の形態としてスケジューラ機能付電話機を例にその構成及び動作について詳細に説明する。また、本電話機には、相手先の名称と電話番号を管理する電話帳機能と、インターネット上のページ（Ｗｅｂサイト）を閲覧するブラウザ機能と、予めページの名称とＵＲＬ（Uniformed Resource Locater）を登録しておくブックマーク機能とが備えられているものとする。
【実施例１】
【０００９】
図１は、スケジューラ機能付電話機の構成例を示すブロック図である。但し、実施例１に記載されている構成要素の相対配置、表示画面等は、特に特定的な記載がない限りは、この発明の範囲をそれらのみに限定する趣旨のものではない。
【００１０】
図１において、１００は中央演算処理部（ＣＰＵ）であり、後述するプログラムや制御データに従って装置全体を制御する。１０１はＲＯＭであり、プログラムや制御データを記憶する。１０２は不揮発性ＲＡＭであり、ユーザが登録したスケジューラの用件、個人データ、電話帳などのバックアップ用のデータを格納する。１０３は記憶部（ＤＲＡＭ）であり、ＣＰＵ１００が処理を実行時に使用するワークスペースや表示用のデータなどを記憶するエリアを含む。１０４は設定時刻管理部であり、現在時刻の管理、スケジューラ用件の通知時間の監視などを行う。
【００１１】
１０５は表示部であり、スケジューラの入力画面、リマインダによる通知、装置の状態などをカラー表示する。１０６はテンキー、上下キーなど各種キーから構成される操作部であり、ユーザが本電話機への動作指示や各種登録操作を行う際に使用される。１０８は通信部であり、回線１０９を介して外部の通信機器と通信するためのモデムなどから構成される。そして、１１０はシステムバスであり、上述の各処理部を接続する。
【００１２】
尚、回線１０９はアナログ回線に限らず、例えば非対称デジタル加入者回線（ＡＤＳＬ：Asymmetric Digital Subscriber Line）やアクセスポイントと無線で接続する無線回線などでも良い。
【００１３】
図２は、図１に示す表示部１０５の構成例を示すブロック図である。図２に示すように、表示部１０５は、少なくとも表示データを記憶するＶＲＡＭ２００と、ＶＲＡＭ２００の内容をドットマトリクスＬＣＤ２０２に出力させるためのＬＣＤドライバ２０１とから構成されている。また、ドットマトリクスＬＣＤ２０２は１２０ドット×１００ドットで構成されているものとする。
【００１４】
図３は、ＤＲＡＭ１０３と不揮発性ＲＡＭ１０２の構成例を示すメモリマップである。図３に示すように、ＤＲＡＭ１０３はＣＰＵ１００のワークエリアとして使用されるＣＰＵワークスペース３０４、表示部１０５に表示するためのデータを記憶する表示用データ格納エリア３０５、その他のデータを記憶するその他のデータ格納エリア３０６から構成される。そして、不揮発性ＲＡＭ１０２は、用件データ格納エリア３０１、アイコン関連データを格納するアイコン関連データ格納エリア３０２、その他のデータを記憶するその他のデータ格納エリア３０３から構成される。
【００１５】
図４は、用件データ格納エリア３０１の内部構成を示すメモリマップである。実施例１では、用件データ格納エリア３０１には用件データ１から用件データ１００まで１００件のスケジューラの用件データが収められている。尚、各用件データの構成は同様であり、ここでは用件データ１（４０１）を例にその構成について説明する。
【００１６】
図４に示すように、用件データ１（４０１）は、例えば用件名を表す用件名４０２と、用件の日時を表す用件日時４０３と、用件を表すアイコン４０４と、用件をユーザに通知するための日時である通知日時４０５と、通知する方法の種類を指定する通知手段４０６と、通知に用いられる電話番号４０７と、通知に用いられるＵＲＬ４０８と、通知終了を示す通知終了フラグ４０９とから構成されている。
【００１７】
尚、電話番号４０７及びＵＲＬ４０８は、不揮発性ＲＡＭ１０２のアイコン関連データ格納エリア３０２から選び出され、電話番号４０７にはその名称と番号が、ＵＲＬ４０８にはその名称とＵＲＬが含まれている。また、通知終了フラグ４０９は、用件がまだ通知されていないときには偽（FALSE）がセットされ、既に通知済みの用件であるときには真（TRUE）がセットされる。
【００１８】
図５は、アイコン関連データ格納エリア３０２の内部構成を示すメモリマップである。実施例１では、アイコン関連データ格納エリア３０２にはアイコン関連データ１からアイコン関連データ５０まで５０件のアイコン関連データが収められている。尚、各アイコン関連データの構成は同様であり、ここではアイコン関連データ１（５０１）を例にその構成について説明する。
【００１９】
図５に示すように、アイコン関連データ１（５０１）は、例えばアイコンに関連付けて記憶される３件の電話番号（名称及び番号）５０２〜５０４と、３件のＵＲＬ（名称及びＵＲＬ）５０５〜５０７とから構成される。
【００２０】
図６は、スケジューラ機能付電話機の操作部１０６の構成例を示す外観図である。図６に示すように、操作部１０６は、表示部１０５のＬＣＤ２０２、電話番号などを入力するためのテンキー６０２、機能設定などに用いる機能キー６０３、マルチ入力に用いる４つのファンクションキー６０４、設定入力キーであるセットキー６０５、及び表示部１０５のカーソル移動などに用いる左右上下方向キー６０６を含む。
【００２１】
＜電話帳登録＞
ここで、以上の構成からなるスケジューラ機能付電話機の電話帳に相手先の名前、その電話番号、及び関連付けるアイコンを登録する処理について説明する。
【００２２】
図７は、本電話機の電話帳に登録する際の電話帳登録画面の一例を示す図である。図７に示すように、電話帳登録画面７０１は登録する相手の名前７０２、登録する相手の電話番号７０３、この電話番号と関連付けて登録するアイコン７０４、登録を確定するための電子ボタンである登録ボタン７０５から構成されている。図７に示す例では、登録する相手の名前７０２として「チケットセンター」が、登録する相手の電話番号７０３として「０３−××××−○○○○」が、この電話番号と関連付けて登録するアイコン７０４として「電話マーク」が選択されて登録されようとしている。
【００２３】
図８は、電話帳に相手先を登録する処理を示すフローチャートである。まず、ユーザが操作部１０６を操作し、ＬＣＤ２０２に電話帳登録画面７０１を表示させると、ステップＳ８０１において、第一の項目である名前エリア７０２が選択されて反転或いはアンカー修飾される。ここでユーザが上下キー６０６を押下するとステップＳ８０２へ進み、選択エリアをキー入力に従って上下に移動する。例えば、名前エリア７０２が選択されている時に下キーが押下されると、選択エリアを番号エリア７０３へ移動する。
【００２４】
また、上下キーが押下されていない場合はステップＳ８０３へ進み、セットキーが押下されたか否かを判定し、押下されていない場合はステップＳ８０１に戻る。また、押下された場合はステップＳ８０４へ進み、登録ボタン７０５が選択されているか否かを判定する。ここで、登録ボタン７０５が選択されていない場合はステップＳ８０６へ進み、選択されていたのが名前エリア７０２であったか否かを判定する。ここで、名前エリア７０２であった場合はステップＳ８０７へ進み、ユーザが操作部１０６によって登録する名前を入力するとステップＳ８０１に戻る。
【００２５】
また、名前エリア７０２でなかった場合はステップＳ８０８へ進み、選択されていたのが番号エリア７０３であったか否かを判定する。ここで、番号エリア７０３であった場合はステップＳ８０９へ進み、ユーザが操作部１０６によって登録する電話番号を入力するとステップＳ８０１に戻る。また、番号エリア７０３でなかった場合はステップＳ８１０へ進み、ユーザに登録するアイコンを選択させてステップＳ８０１に戻る。
【００２６】
上述した処理により、必要な項目の入力が終わった後に、ステップＳ８０４において、登録ボタン７０５が選択されてセットキーが押下された場合はステップＳ８０５へ進み、入力された各々のデータを電話帳へ登録すると共に、アイコンが選択されている場合にはアイコン関連データ格納エリア３０２内の、選択されたアイコンに対応するエリアに電話番号とその名前とを登録する。
【００２７】
このように電話帳を登録する際にアイコンを選択することにより、後述する用件の登録処理で簡単にアイコンと電話番号を関連付けることが可能になる。
【００２８】
＜ブックマーク登録＞
次に、スケジューラ機能付電話機のブックマークにインターネットやイントラネットの所望のページの名前、そのＵＲＬ、及び関連付けるアイコンをブックマーク登録する処理について説明する。
【００２９】
図９は、本電話機のブックマークに登録する際の登録画面の一例を示す図である。図９に示すように、ブックマーク登録画面９０１は登録するページの名前９０２、登録するページのＵＲＬ９０３、このＵＲＬと関連付けて登録するアイコン９０４、登録を確定するための電子ボタンである登録ボタン９０５から構成されている。図９に示す例では、登録するページの名前９０２として「気象庁オンライン」が、登録するページのＵＲＬ９０３として「http://www.otenki.jp」が、このＵＲＬと関連付けて登録するアイコン９０４として「自動車マーク」が選択されて登録されようとしている。
【００３０】
図１０は、ブックマークに登録する処理を示すフローチャートである。まず、ユーザが操作部１０６を操作し、ＬＣＤ２０２にブックマーク登録画面９０１を表示させると、ステップＳ１００１において、第一の項目である名前エリア９０２が選択されて反転或いはアンカー修飾される。ここでユーザが上下キー６０６を押下するとステップＳ１００２へ進み、選択エリアをキー入力に従って上下に移動する。例えば、名前エリア９０２が選択されている時に下キーが押下されると、選択エリアをＵＲＬエリア９０３へ移動する。
【００３１】
また、上下キーが押下されていない場合はステップＳ１００３へ進み、セットキーが押下されたか否かを判定し、押下されていない場合はステップＳ１００１に戻る。また、押下された場合はステップＳ１００４へ進み、登録ボタン９０５が選択されているか否かを判定する。ここで、登録ボタン９０５が選択されていない場合はステップＳ１００６へ進み、選択されていたのが名前エリア９０２であったか否かを判定する。ここで、名前エリア９０２であった場合はステップＳ１００７へ進み、ユーザが名前を入力するとステップＳ１００１に戻る。
【００３２】
また、名前エリア９０２でなかった場合はステップＳ１００８へ進み、選択されていたのがＵＲＬエリア９０３であったか否かを判定する。ここで、ＵＲＬエリア９０３であった場合はステップＳ１００９へ進み、ユーザがＵＲＬを入力するとステップＳ１００１に戻る。また、ＵＲＬエリア９０３でなかった場合はステップＳ１０１０へ進み、ユーザが関連するアイコンを選択するとステップＳ１００１に戻る。
【００３３】
上述した処理により、必要な項目の入力が終わった後に、ステップＳ１００４において、登録ボタン９０５が選択されてセットキーが押下された場合はステップＳ１００５へ進み、入力された各々のデータをブックマークへ登録すると共に、アイコンが選択されている場合にはアイコン関連データ格納エリア３０２内の、選択されたアイコンに対応するエリアにＵＲＬとその名前とを登録する。
【００３４】
このようにブックマークを登録する際にアイコンを選択することにより、後述する用件の登録処理で簡単にアイコンとＵＲＬを関連付けることが可能になる。
【００３５】
図１１は、アイコン関連データの登録状況の一例を示す図である。図１１に示す例は、所望のアイコンが上述した電話帳登録処理及びブックマーク登録処理によって登録された状況を示している。図１１に示すように、アイコン関連データ１１０１には、電話番号１（５０２）として電話番号「チケットセンター：０３−××××−○○○○」が１１０２に、電話番号２（５０３）として電話番号「自動車教習所：０６−△△△△−××××」が１１０３に、電話番号３（５０４）として電話番号「定時連絡：０３−○○○○−△△△△」が１１０４に登録されている。また、ＵＲＬ１（５０５）として「Ｖ５ファンクラ：http://www.ticket.jp」が１１０５に、ＵＲＬ２（５０６）として「お天気情報：http://www.test.jp」が１１０６に、ＵＲＬ３（５０７）として「渋滞情報：http://www.demo.jp」が１１０７に登録されている。
【００３６】
＜用件登録＞
次に、スケジューラ機能付電話機のスケジューラ機能を用いてユーザが用件を登録する処理について説明する。
【００３７】
図１２は、本電話機のスケジューラ機能により用件を登録する際の用件登録画面の一例を示す図である。図１２に示すように、用件登録画面１２０１は、用件名を入力するための用件名入力項１２０２、用件の日時を入力するための用件日時入力項１２０３、用件に対応するアイコンを入力するためのアイコン入力項１２０４、用件の通知日時を入力するための通知日時入力項１２０５、用件の通知手段と通知先を入力するための通知手段入力項１２０６、用件の通知に利用する電話番号を入力するための電話番号入力項１２０７、用件の通知に利用するＵＲＬを入力するためのＵＲＬ入力項１２０８、登録を確定するための電子ボタンである登録ボタン１２０９から構成される。
【００３８】
図１２に示す例では、用件名入力項１２０２に「Ｖ５コンサート予約開始」が、用件日時入力項１２０３に「１０月１０日８時０分」が、アイコン入力項１２０４に「電話マーク」が、通知日時入力項１２０５に「１０月１０日７時５０分」が、通知手段入力項１２０６に「--canon.@keitai.ne.jp」が、電話番号入力項１２０７に「チケットセンター：０３−××××−○○○○」が、ＵＲＬ入力項１２０８に「Ｖ５ファンクラ：http://www.V5.jp」が入力され、登録されようとしている。
【００３９】
尚、用件の通知手段としては、本電話機による電話での通知と電子メールによる通知先への通知の２種類があり、片方或いは両方を選択することができる。また、電子メールによる通知を選択した場合には通知先の電子メールアドレスも入力し、本電話機に備えられた電子メール送信機能によって送信するものとする。
【００４０】
図１３は、スケジューラ機能により用件を登録する処理を示すフローチャートである。まず、ユーザが操作部１０６を操作し、ＬＣＤ２０２に用件登録画面１２０１を表示させると、ステップＳ１３０１において、第一の項目である用件名エリア１２０２が選択されて反転或いはアンカー修飾される。ここでユーザが上下キー６０６を押下するとステップＳ１３０２へ進み、選択エリアをキー入力に従って上下に移動する。例えば、用件名エリア１２０２が選択されている時に下キーが押下されると、選択エリアを日時エリア１２０３へ移動する。
【００４１】
また、上下キーが押下されていない場合はステップＳ１３０３へ進み、セットキーが押下されたか否かを判定し、押下されていない場合はステップＳ１３０１に戻る。また、押下された場合はステップＳ１３０４へ進み、登録ボタン１２０９が選択されているか否かを判定する。ここで、登録ボタン１２０９が選択されていない場合はステップＳ１３０５へ進み、詳細は後述する選択項目入力処理を行う。この処理では、用件名エリア１２０２からＵＲＬエリア１２０８のうち、選択されている項目についての入力が行われる。
【００４２】
上述した処理により、必要な項目の入力が終わった後に、ステップＳ１３０４において、入力された各々のデータを用件データ格納エリア３０１へ登録する。
【００４３】
図１４は、選択項目入力処理を示すフローチャートである。まず、ステップＳ１４０１〜Ｓ１４０７において、選択されていた項目を判定し、対応する項目の入力処理を行う。即ち、選択されていた項目が用件名エリア１２０２であった場合はステップＳ１４０８へ進み、ユーザによる用件名の入力を処理して終了する。また、選択されていた項目が日時エリア１２０３であった場合はステップＳ１４０９へ進み、ユーザによる日時の入力を処理して終了する。また、選択されていた項目がアイコンエリア１２０４であった場合はステップＳ１４１０へ進み、ユーザにより選択されたアイコンを処理して終了する。
【００４４】
また、選択されていた項目が通知日時エリア１２０５であった場合はステップＳ１４１１へ進み、ユーザによる通知日時の入力を処理して終了する。また、選択されていた項目が通知手段エリア１２０６であった場合はステップＳ１４１２へ進み、ユーザによる通知手段の入力を処理して終了する。また、選択されていた項目が電話番号エリア１２０７であった場合はステップＳ１４１３へ進み、ユーザによる電話番号の入力を処理して終了する。ここで、電話番号を入力する際に、既にアイコンエリアにアイコンが選択されている場合には、そのアイコンに関連付けてアイコン関連データ格納エリア３０２に格納されている電話番号１〜３（５０２〜５０４）を候補として表示し、ユーザに選択させることにより電話番号の入力を行うか、或いはアイコン関連データ格納エリア３０２に格納されている電話番号のうち任意の電話番号を予め電話番号エリア１２０７へ自動的に挿入しても良い。
【００４５】
また、選択されていた項目がＵＲＬエリア１２０８であった場合はステップＳ１４１４へ進み、ユーザによるＵＲＬの入力を処理して終了する。ここで、ＵＲＬを入力する際に、既にアイコンエリアにアイコンが選択されている場合には、そのアイコンに関連付けてアイコン関連データ格納エリア３０２に格納されているＵＲＬ１〜３（５０５〜５０７）を候補として表示し、ユーザに選択させることによりＵＲＬの入力を行うか、或いはアイコン関連データ格納エリア３０２に格納されているＵＲＬのうち任意のＵＲＬを予めＵＲＬエリア１２０８へ自動的に挿入しても良い。
【００４６】
＜用件通知＞
ここで、上述した用件登録処理によりユーザが用件を登録した後、通知日時が到来した際に、その用件を本電話機の表示部１０５に表示してユーザに通知する処理について説明する。尚、この処理は、設定時刻管理部１０４によって行われる処理である。
【００４７】
図１５は、登録用件の通知日時が到来した際に表示する通知画面の一例を示す図である。図１５に示すように、スケジューラ通知画面１５０１は用件日時、用件名、アイコンを含む通知内容１５０２、通知する用件に電話番号が設定されていた場合に電話番号の名称１５０３、その電話番号への発呼を起動する「電話」電子ボタン１５０５、通知する用件にＵＲＬが設定されていた場合にＵＲＬの名称１５０４、そのＵＲＬのブラウズを起動する「ネット」電子ボタン１５０６から構成される。
【００４８】
図１５に示す例では、通知内容１５０２として「１０月１０日８時０分」、「Ｖ５コンサート予約開始」、「電話マーク」が、電話番号の名称１５０３として「チケットセンター」が、ＵＲＬの名称１５０４として「Ｖ５ファンクラ」が表示され、また設定されていた電話番号への発呼を起動する「電話」電子ボタン１５０５と、設定されていたＵＲＬのブラウズを起動する「ネット」電子ボタン１５０６も表示されている。
【００４９】
図１６は、登録用件の通知日時が到来した際に通知先へ送る電子メールの一文面例を示す図である。図１６に示すように、通知電子メール１６０１の送信先１６０２は用件登録画面１２０１の用件の通知手段に設定されたメールアドレス１２０６とし、メール本文は用件名、用件日時１６０３を含む。また、通知する用件に電話番号が設定されていた場合は、メール本文に電話番号の名称と電話番号１６０４を追加し、通知する用件にＵＲＬが設定されていた場合はメール本文内にＵＲＬの名称とＵＲＬ１６０５を追加する。
【００５０】
図１６に示す例では、メールの送信先１６０２として「--canon.@keitai.ne.jp」が、用件名、用件日時１６０３として「１０月１０日８時０分  チケット予約開始」が、電話番号の名称と電話番号１６０４として「チケットセンター  ０３−××××−○○○○」が、ＵＲＬの名称とＵＲＬ１２０５として「Ｖ５ファンクラ  http://www.tichet.jp」が含まれている。
【００５１】
図１７は、登録用件の通知日時が到来した際の通知処理を示すフローチャートである。まず、ステップＳ１７０１において、用件データ格納エリア３０１に登録されている用件データ１（４０１）の通知日時４０５をチェックし、通知すべき用件か否かを判定する。ここで、通知日時４０５が現在の日時か或いは経過しており、かつ用件データの通知終了フラグ４０９が偽（FALSE）である場合はステップＳ１７０２へ進み、該当用件データの通知手段４０６にメールによる通知設定があるか否かを判定する。ここで、設定がされている場合はステップＳ１７０３へ進み、該当用件データの電話番号４０７に電話番号が登録されているか否かを判定する。ここで、登録されていない場合はステップＳ１７０５へ進むが、登録されている場合はステップＳ１７０４へ進み、通知メールに電話番号とその名前を付加する。これにより、通知メールを受ける端末が携帯電話の場合には、この電話番号を選択することで電話を容易にかけることが可能であり、通知メールを受ける端末がパソコンの場合でも、メールを表示させながら電話をかけることができる。
【００５２】
次に、ステップＳ１７０５では、該当用件データのＵＲＬ４０８にＵＲＬが登録されているか否かを判定し、登録されていない場合はステップＳ１７０７へ進むが、登録されている場合はステップＳ１７０６へ進み、通知メールにＵＲＬとその名前を付加する。これにより、通知メールを受ける端末が携帯電話やパソコンの場合に、このＵＲＬを選択することで容易にＷｅｂ閲覧することができる。そして、ステップＳ１７０７において、通知電子メール１６０１を通知手段４０６に含まれるアドレスへ送信する。
【００５３】
また、上述のステップＳ１７０２において、メールによる通知設定がされていない場合、及びステップＳ１７０７において、通知電子メール１６０１を送信した後に、ステップＳ１７０８へ進み、該当用件データの通知手段４０６に本電話機による通知設定があるか否かを判定し、設定がない場合は、この用件通知処理を終了する。また、設定されている場合はステップＳ１７０９へ進み、該当用件データの電話番号４０７に電話番号が登録されているか否かを判定する。ここで、登録されていない場合はステップＳ１７１１へ進むが、登録されている場合はステップＳ１７１０へ進み、スケジューラ通知画面１５０１に電話番号の名前１５０３と電話ボタン１５０５を付加する。ユーザがこの電話ボタン１５０５を左右上下方向キー６０６で選択し、セットキー６０５を押下することで用件データの電話番号４０７の電話番号に容易にかけることが可能となる。
【００５４】
次に、ステップＳ１７１１では、該当用件データのＵＲＬ４０８にＵＲＬが登録されているか否かを判定する。ここで、登録されていない場合はステップＳ１７１３へ進むが、登録されている場合はステップＳ１７１２へ進み、スケジューラ通知画面１５０１にＵＲＬの名前１５０４とネットボタン１５０６を付加する。ユーザがこのネットボタン１５０６を左右上下方向キー６０６で選択し、セットキー６０５を押下することで用件データのＵＲＬ４０８のＵＲＬで指定されるページを容易に閲覧することが可能となる。そして、ステップＳ１７１３において、本電話機の通知画面と音声やベル音等によりユーザに用件通知を行い、この処理を終了する。
【００５５】
尚、本発明は複数の機器（例えば、ホストコンピュータ，インターフェース機器，リーダ，プリンタなど）から構成されるシステムに適用しても、１つの機器からなる装置（例えば、複写機，ファクシミリ装置など）に適用しても良い。
【００５６】
また、本発明の目的は前述した実施形態の機能を実現するソフトウェアのプログラムコードを記録した記録媒体を、システム或いは装置に供給し、そのシステム或いは装置のコンピュータ（ＣＰＵ若しくはＭＰＵ）が記録媒体に格納されたプログラムコードを読出し実行することによっても、達成されることは言うまでもない。
【００５７】
この場合、記録媒体から読出されたプログラムコード自体が前述した実施形態の機能を実現することになり、そのプログラムコードを記憶した記録媒体は本発明を構成することになる。
【００５８】
このプログラムコードを供給するための記録媒体としては、例えばフロッピー（登録商標）ディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００５９】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部又は全部を行い、その処理によって前述した実施形態の機能が実現される場合も含まれることは言うまでもない。
【００６０】
更に、記録媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部又は全部を行い、その処理によって前述した実施形態の機能が実現される場合も含まれることは言うまでもない。
【産業上の利用可能性】
【００６１】
本発明は、スケジュール機能と用件通知機能とを有するモバイル端末や携帯電話などの通信装置に適用できる。
【図面の簡単な説明】
【００６２】
【図１】スケジューラ機能付電話機の構成例を示すブロック図である。
【図２】図１に示す表示部１０５の構成例を示すブロック図である。
【図３】ＤＲＡＭ１０３と不揮発性ＲＡＭ１０２の構成例を示すメモリマップである。
【図４】用件データ格納エリア３０１の内部構成を示すメモリマップである。
【図５】アイコン関連データ格納エリア３０２の内部構成を示すメモリマップである。
【図６】スケジューラ機能付電話機の操作部１０６の構成例を示す外観図である。
【図７】本電話機の電話帳に登録する際の電話帳登録画面の一例を示す図である。
【図８】電話帳に相手先を登録する処理を示すフローチャートである。
【図９】本電話機のブックマークに登録する際の登録画面の一例を示す図である。
【図１０】ブックマークに登録する処理を示すフローチャートである。
【図１１】アイコン関連データの登録状況の一例を示す図である。
【図１２】本電話機のスケジューラ機能により用件を登録する際の用件登録画面の一例を示す図である。
【図１３】スケジューラ機能により用件を登録する処理を示すフローチャートである。
【図１４】選択項目入力処理を示すフローチャートである。
【図１５】登録用件の通知日時が到来した際に表示する通知画面の一例を示す図である。
【図１６】登録用件の通知日時が到来した際に通知先へ送る電子メールの一文面例を示す図である。
【図１７】登録用件の通知日時が到来した際の通知処理を示すフローチャートである。
【符号の説明】
【００６３】
１００  ＣＰＵ
１０１  ＲＯＭ
１０２  不揮発性ＲＡＭ
１０３  記憶部（ＤＲＡＭ）
１０４  設定時刻管理部
１０５  表示部
１０６  操作部
１０８  通信部
１０９  回線
１１０  システムバス
【図１】
2005080094.tif 000003
【図２】
2005080094.tif 000004
【図３】
2005080094.tif 000005
【図４】
2005080094.tif 000006
【図５】
2005080094.tif 000007
【図６】
2005080094.tif 000008
【図７】
2005080094.tif 000009
【図８】
2005080094.tif 000010
【図９】
2005080094.tif 000011
【図１０】
2005080094.tif 000012
【図１１】
2005080094.tif 000013
【図１２】
2005080094.tif 000014
【図１３】
2005080094.tif 000015
【図１４】
2005080094.tif 000016
【図１５】
2005080094.tif 000017
【図１６】
2005080094.tif 000018
【図１７】
2005080094.tif 000019